(57)【特許請求の範囲】
【請求項１】
少なくともシート本体の表裏の一面に粘着層を備え、該粘着層を介して被貼着体に対して貼着されるシートであって、前記粘着層の周囲には、該粘着層を取り囲むゲル状部材からなる保護粘着層が配設されてなることを特徴とする耐液体性シート。
【請求項２】
前記保護粘着層と、前記粘着層との間には、空気層が形成されている請求項１記載の耐液体性シート。
【請求項３】
前記耐液体性シートは、前記粘着層を備える内シートと前記保護粘着層を備えた外シートとが連結されて成り、前記外シートは前記内シートを外側から被覆し、前記保護粘着層で前記内シートの外周部を取り囲むようになっている請求項１または２記載の耐液体性シート。
【発明の詳細な説明】
【技術分野】
【０００１】
本発明は、保護粘着層により粘着層への液体の滲入を防止する耐液体性シートに関する。
【背景技術】
【０００２】
従来から、表示情報媒体としてのシートは、表面に文字やバーコード等の情報を印刷して貼り付けられ家庭用、事務用、商業用、工程管理用、物流管理用等、広範囲にわたる産業分野で使用されている。これらのシートは、文具類や容器等に貼られる場合は液体に接触することは少ないが、薬品用容器、医療用の検査器具、実験器具に貼られて使用される場合は、シートが薬品等にさらされた場合においても被貼着物から剥がれない耐液体性シートであることが望まれる。このような耐液体性シートとしては、例えば容器などに貼られるラベルとして、下部に粘着層を有する基材上に形成された感熱層の上にバリアー層が設けられ、バリアー層の上に接着剤層を介して合成樹脂フィルムが積層された構成の粘着ラベルがある（特許文献１参照）。
【先行技術文献】
【特許文献】
【０００３】
【特許文献１】特開２００９−２５５４６９号公報
【発明の概要】
【発明が解決しようとする課題】
【０００４】
しかしながら、特許文献１にあっては、多少の耐液体性はあるものの、薬品用容器から薬品を移し替える時の液漏れなどにより容器に貼られたラベルが液体に接触する回数が多くなった場合、薬品とラベル外周の粘着面が接触して次第に粘着層の機能が喪失し、被貼着物からラベルが剥がれ落ちてしまうという問題があった。また、ラベルの貼られた検査器具や実験器具自体を液体に浸漬する必要がある場合、液体とラベル外周の粘着面が接触して粘着層の機能が喪失し、被貼着物から直ぐにラベルが剥がれ落ちてしまうという問題があった。
【０００５】
本発明は、このような問題点に着目してなされたもので、薬品等にさらされた場合においても、被貼着物から剥がれ難い耐液体性シートを提供することを目的とする。
【課題を解決するための手段】
【０００６】
前記課題を解決するために、本発明の耐液体性シートは、
少なくともシート本体の表裏の一面に粘着層を備え、該粘着層を介して被貼着体に対して貼着されるシートであって、前記粘着層の周囲には、該粘着層を取り囲むゲル状部材からなる保護粘着層が配設されてなることを特徴としている。
この特徴によれば、シート本体を被貼着体に対して固定している粘着層の機能を阻害する液体が前記シート外周に到達しても、保護粘着層がその液体の前記粘着層への到達を防止して保護するようになっている。特に保護粘着層はゲル状部材で構成されており、シート本体および被貼着体の表面の凹凸面に馴染むように変形するため、前記液体は保護粘着層を根本的に破壊しない限り粘着層には到達し難くなっており、長時間にわたり粘着層の機能を維持できることになる。
【０００７】
前記保護粘着層と、前記粘着層との間には、空気層が形成されていることを特徴としている。
この特徴によれば、例え、シート本体および被貼着体の表面から前記液体が侵入したとしても、前記保護粘着層と前記粘着層との間の空気層によるラビリンス効果で、多量の液体が粘着層へ到達せず、長時間にわたり粘着層の機能を維持できることになる。
【０００８】
前記粘着層を備える内シートと前記保護粘着層を備えた外シートとが連結されて成り、前記外シートは前記内シートを外側から被覆し、前記保護粘着層で前記内シートの外周部を取り囲むようになっていることを特徴としている。
この特徴によれば、粘着層と保護粘着層との間に内シートが形成されているためシートの強度を増すことができるとともに、シートの平滑度を高め、印刷適性を向上させることができる。
【図面の簡単な説明】
【０００９】
【図１】は、本発明の第１実施形態の耐液体性シートをガラス容器であるビーカーに貼着した状態の外観を示す斜視図である。
【図２】の（ａ）は、第１実施形態の耐液体性シートを示す分解斜視図であり、（ｂ）は第１実施形態の耐液体性シートが被貼着体に貼着された状態の積層構成を示す断面図である。
【図３】は、被貼着体に貼着された状態の第１実施形態の耐液体性シートを液体にさらした状態を示す断面図である。
【図４】は、保護粘着層の一部が液体で損壊された時の保護粘着層の形状変化を示す拡大断面図である。
【図５】は、保護粘着層の一部が液体で損壊された時のシート本体の形状変化を示す拡大断面図である。
【図６】の（ａ）は、第２実施形態の耐液体性シートを示す分解斜視図であり、（ｂ）は第２実施形態の耐液体性シートが被貼着体に貼着された状態の積層構成を示す断面図である。
【図７】は、被貼着体に貼着された状態の第２実施形態の耐液体性シートを液体にさらした状態を示す断面図である。
【図８】の（ａ）は、第３実施形態の剥離シートを有する耐液体性シートの分解斜視図であり、（ｂ）は第３実施形態の耐液体性シートの積層構成を示す断面図である。
【図９】は、第３実施形態の耐液体性シートを被貼着体に貼り付けた時の積層構成を示す断面図である。
【図１０】は、本発明と比較される従来のシートの積層構成を示す断面図である。
【発明を実施するための形態】
【００１０】
以下に、本発明の実施形態について図面を参照しながら詳述する。先ず、本発明の第１実施形態の耐液体性シートについて説明する。
【００１１】
本発明の第１実施形態の耐液体性シート１は、例えば図１に示すように、ガラス容器であるビーカー３の表面に貼り付けられ、ビーカー３の中に入れられた液体２を識別するための管理情報が表示される。その他この耐液体性シート１は、製品名や製品のブランド名、貼り付けられる物体を識別するための印字やバーコード等の管理情報を明示するために用いられる。なお、図２以降の説明において、ビーカー３表面ではなく平面状の被貼着体４に対して耐液体性シート１を適用した実施例が説明されている。
【００１２】
本実施形態の耐液体性シート１は、図２の（ａ）および（ｂ）に示すように、シート本体６における被貼着体側には、中央に両面に接着力を有する粘着層５が貼着され、その粘着層５の周囲を囲むようにゲル状の保護粘着層７が形成されている。このゲル状の保護粘着層７にあっては、初めからゲル状である必要はないが、ここでは初めからゲル状でかつこのゲルの接着力を利用してシート本体６に貼着されている。
【００１３】
このような積層構造を有する耐液体性シート１にあっては、図３の拡大図に示すように、耐液体性シート１は、ガラスなどの被貼着体４に対して粘着層５とゲル状の保護粘着層７によって貼着されて利用されることになる。薬品などを利用した作業の場合、薬品用容器から薬品を移し替える時の液漏れなどにより容器などの被貼着体に貼られたラベルが液体に接触する回数が多くなり、また、ラベルの貼られた検査器具や実験器具自体を液体に浸漬する必要がある場合など、液体とラベルの接触が頻発することになる。  
【００１４】
本発明の実施例にあっては、図３の拡大図に示すように、保護粘着層７がゲル状部材で構成されており、ゲル状部材の性質により、耐液体性シート１をガラスなどの被貼着体４に対して押し付けたとき、シート本体６の表面６ａおよび被貼着体４の表面４ａの肉眼では確認できないような微小な凹凸に馴染むように変形する。特に実験によれば、図４に示されるように保護粘着層を構成するゲル状部材はその一部が薬品などの液体２で損壊されても、その損壊部分を埋め戻すように形状変化することが確認されている。このようなゲル状部材の性質により、薬品などの液体２は保護粘着層７を根本的に破壊しない限り内部に配置されている粘着層５には到達し難くなっており、耐液体性シート１を液体２に浸漬した場合においても、長時間にわたり粘着層５の機能を維持できることになる。本実施例にあっては、保護粘着層７が一枚の無垢のゲル状部材を利用しているが、所定の厚みのあるゲル状シートの積層体でもよいし、薬液などが触れた際にゲル状化するゲル状部材を採用しても良い。
【００１５】
また、耐液体性シート１が液体２にさらされてゲル状の保護粘着層が次第に損壊された場合、シート本体６の厚さ、比重、そして晒される液体２の比重、粘性などにもよるが、少なくともシート本体６の比重が晒される液体２の比重よりも大きいとき、図５に示されるように、ゲル状部材が薬品などの液体２で損壊されるに従い、シート本体６が次第に重力で下方へ垂れ下がることになる。このため、シート本体６の周辺端で液体２の内部への滲入を防止する機能を付加できることになり、液体２が内部に配置されている粘着層５には更に到達し難くなる。
【００１６】
耐液体性シート１の各構成要素についての素材などに関しては、上記シート本体６は、シートとしての強度を確保するための基材となる層であり、具体的には、ポリエチレンテレフタレート系、ポリエチレン系、ポリプロピレン系、ポリ塩化ビニル系、ポリエチレンナフタレート系、アクリル系、フッ素系等の合成樹脂フィルムが用いられる。
【００１７】
なお、本実施形態においてシート本体６の厚みは特に限定されないが、印刷や他の層との積層工程において安定し、破断や変形のないように設計される。
【００１８】
また、製品名等の情報を印刷する場合は、シート本体６の上面を被印刷層として印刷する場合の他、シート本体６の上面側にさらに感熱反応による印字を可能とするサーマル層を設け、そのサーマル層を被印刷層とすることによって製品名等の情報を印刷することとしてもよい。
【００１９】
上記粘着層５に用いられる粘着剤の種類は、特に限定されないが、例えば、アクリル系、ポリエステル系、ウレタン系、ポリエーテル系、ゴム系、シリコーン系、ポリアミド系、フッ素系等から選択される一種または二種以上の粘着剤から構成され、比較的耐薬液性の高い素材が選定される。
【００２０】
上記ゲル状の保護粘着層７の種類としては、特に限定されないが、例えば、基材レス粘着剤が挙げられる。また、本件発明の耐液体性シート１を実施するにあたっては、最初からゲル状の態様をもつ保護粘着層だけでなく、液体と反応して膨潤しゲル状となる粘着剤であってもよい。そのような粘着剤としては、特に限定されるものではないが、例えば、アクリル系樹脂、ウレタン系樹脂、ポリスチレン系樹脂、ポリエステル系樹脂、ポリアミド系樹脂等の粘着剤が挙げられる。
【００２１】
上記液体２としては、特に限定されるものではないが、例えば、ヘキサン等の脂肪族炭化水素、トルエン等の芳香族炭化水素、アルコール、第１級アミン、アセトン、エーテルなどに対して、前記した耐液体性シート１が有効であった。
【００２２】
上記被貼着体４の種類としては、実験器具のビーカー、フラスコ、スライドガラス等のガラス質の物質に限定されず、陶器、陶器とガラスからなる瓶、すりガラスのようにシボ加工されたもの等が挙げられる。
【００２３】
なお、当該耐液体性シート１は、粘着層５の裏面に剥離可能な紙やフィルムを台紙として積層しておくとよい。かかる台紙を積層することで、流通する際に粘着層に接触することがなく取扱い易くなり、耐液体性シートとして使用する場合には台紙から容易に剥がしてシートを使用することができる。
【００２４】
次に、本発明の第２の実施形態の耐液体性シート２１について説明する。第２の実施形態の耐液体性シート２１は、図６の（ａ）および（ｂ）に示すように、シート本体６における被貼着体側には、中央に両面に接着力を有する粘着層５が貼着され、その粘着層５の周囲を囲むようにゲル状の保護粘着層７が形成されている点で第１の実施形態の耐液体性シート１と同様である。当該粘着層５、シート本体６、およびゲル状の保護粘着層７の構成の内容も、上記第１の実施形態の耐液体性シート１の場合と同様であるので、同一番号を付して説明を省略する。
【００２５】
当該第２実施形態の耐液体性シート２１は、耐液体性シート２１をガラスなどの被貼着体４に対して押し付けたとき、前記保護粘着層７と前記粘着層５とが所定間隔離間して配置されるようになっており、前記保護粘着層７と前記粘着層５との間に空気層８が構成されている点で、第１の実施形態の耐液体性シート１と異なる。図７の拡大図に示すように、ゲル状部材の性質により、薬品などの液体は保護粘着層７を根本的に破壊しない限り内部に配置されている粘着層５には到達し難くなっており、耐液体性シート２１を液体２に浸漬した場合においても、長時間にわたり粘着層５の機能を維持できることになるが、時間の経過により例えば、シート本体の表面６ａおよび被貼着体の表面４ａから液体が一部侵入することがあっても、かかる密封状の空気層８が前記保護粘着層７と前記粘着層５間に存在することにより、空気層８によるラビリンス効果で、多量の液体２が粘着層外縁部５ａまで到達し辛くなり、長時間にわたり粘着層５の粘着機能を維持できることになる。
【００２６】
また、前述の通り、保護粘着層７が最初からゲル状の態様をもつ保護粘着層でなく、液体と反応して膨潤しゲル状となる粘着剤である場合には、膨張したゲルが被貼着体４の表面４ａおよびシート本体６の表面６ａの肉眼では確認できないような微小な凹凸に密に順次入り込んで隙間を塞ぐことになる。
【００２７】
また、そのように液体２と反応して膨潤しゲル状となる粘着剤である場合には、膨張したゲルの表面張力によってさらに保護粘着層外縁部７ａが膨らみ、保護粘着層７が液体２を保持できる量が増加し、シートが液体２にさらされた場合においても保護粘着層７が壁となる時間が長くなり、液体２が粘着層５へ到達せず、長時間にわたり粘着層５の粘着機能を維持できることになる。
【００２８】
なお、空気層８の位置やその幅については、前記保護粘着層７および前記粘着層５の粘着機能が発揮される限りどの位置にあってもよく、その幅についても特に限定されないが、空気層の幅は、シート本体６の厚さ、素材、比重、そして晒される液体の比重、粘性などによって適宜決定されることになる。
【００２９】
次に、本発明の第３の実施形態の耐液体性シート３１について説明する。第３の実施形態の耐液体性シート３１は、図８の（ａ）および（ｂ）に示すように、剥離シート１１側から、粘着層５、内シート９、ゲル状の保護粘着層７、外シート１０が順次積層されており、粘着層５を有する内シート９をゲル状の保護粘着層７を有する外シート１０が外側から覆うように連結されている。内シート９および外シート１０の構成は前記第１の実施形態のシート本体６の構成で示した素材の中から選択され、内シート９および外シート１０を構成する素材が異なるものであっても、同一の物であってもよい。粘着層５およびゲル状の保護粘着層７についての構成の内容も前記第１の実施形態の構成の内容と同一であるので、同一番号を付して説明を省略する。
【００３０】
当該実施形態の耐液体性シート３１は、粘着層５と保護粘着層７との間に内シート９が形成されているためシートの強度を増すことができるとともに、シートの平滑度を高め、印刷適性を向上させることができる。具体的には、シートに強度を持たせることにより、液体が耐液体性シート３１に付着した場合にシート全体の強度が下がり、その結果表面摩擦等の刺激によって耐液体性シート３１が破断するのを防ぐことができるとともに、ゲル状の保護粘着層７及び粘着層５の塗りむらから生じるシート全体の凹凸を減少させ、滑らかにすることができる結果印刷適性が向上する。
【００３１】
次に、本発明の第３の実施形態の耐液体性シート３１を被貼着体４に貼り付けた状態を図９に示す。耐液体性シート３１を被貼着体４に貼り付けることによって保護粘着層７と粘着層５との間に自然に空気層８が構成される。そのため外シート１０および被貼着体の表面４ａから液体２が侵入したとしても、前記保護粘着層７と前記粘着層５との間の空気層８によるラビリンス効果で、多量の液体が粘着層５へ到達せず、長時間にわたり粘着層５の粘着機能を維持できることになる。
【００３２】
また、前述の第１の実施例で図３の拡大図に示したように、保護粘着層７がゲル状部材で構成されており、ゲル状部材の性質により、耐液体性シート３１をガラスなどの被貼着体４に対して押し付けたとき、外シート１０の表面および被貼着体４の表面４ａの肉眼では確認できないような微小な凹凸に馴染むように変形する。特に実験によれば、図４で示したように保護粘着層を構成するゲル状部材はその一部が薬品などの液体で損壊されても、その損壊部分を埋め戻すように形状変化することが確認されている。このようなゲル状部材の性質により、薬品などの液体は保護粘着層７を根本的に破壊しない限り内部に配置されている粘着層５には到達し難くなっており、耐液体性シート３１を液体２に浸漬した場合においても、長時間にわたり粘着層５の機能を維持できることになる。本実施例にあっては、保護粘着層７が一枚の無垢のゲル状部材を利用しているが、所定の厚みのあるゲル状シートの積層体でもよいし、薬液などが触れた際にゲル状化するゲル状部材を採用しても良い。
【００３３】
また、耐液体性シート３１が液体２にさらされてゲル状の保護粘着層が次第に損壊された場合、外シート１０の厚さ、比重、そして晒される液体２の比重、粘性などにもよるが、少なくとも外シート１０の比重が晒される液体２の比重よりも大きいとき、図５に示した状態と同じように、ゲル状部材が薬品などの液体で損壊されるに従い、外シート１０が次第に重力で下方へ垂れ下がることになる。このため、外シート１０の周辺端で液体２の内部への滲入を防止する機能を付加できることになり、液体２が内部に配置されている粘着層５には更に到達し難くなる。なお、外シート１０および保護粘着層７の外周部分は内シート９および粘着層５の厚さの分だけ当初から斜めに垂れているためゲル状部材が薬品などの液体で損壊されるに従い、外シート１０の重力とともにさらに下方へ垂れ下がりやすくなっている。このため、外シート１０の周辺端で液体２の内部への滲入を防止する機能をさらに付加できることになり、液体２が内部に配置されている粘着層５にはまた更に到達し難くなる。
【００３４】
また、第２の実施例で説明した通り、図７の拡大図で示した場合と同様に、ゲル状部材の性質により、薬品などの液体は保護粘着層７を根本的に破壊しない限り内部に配置されている粘着層５には到達し難くなっており、耐液体性シート３１を液体２に浸漬した場合においても、長時間にわたり粘着層５の機能を維持できることになるが、時間の経過により例えば、外シート１０の表面および被貼着体４の表面４ａから液体２が一部侵入することがあっても、かかる密封状の空気層８が前記保護粘着層７と前記粘着層５間に存在することにより、空気層８によるラビリンス効果で、多量の液体２が粘着層外縁部５ａまで到達し辛くなり、長時間にわたり粘着層５の粘着機能を維持できることになる。
【００３５】
また、前述の通り、保護粘着層７が最初からゲル状の態様をもつ保護粘着層でなく、液体と反応して膨潤しゲル状となる粘着剤である場合には、膨張したゲルが被貼着体４の表面４ａおよびシート本体６の表面６ａの肉眼では確認できないような微小な凹凸に密に順次入り込んで隙間を塞ぐことになる。
【００３６】
また、そのように液体２と反応して膨潤しゲル状となる粘着剤である場合には、膨張したゲルの表面張力によってさらに保護粘着層外縁部７ａが膨らみ、保護粘着層７が液体２を保持できる量が増加し、シートが液体２にさらされた場合においても保護粘着層７が壁となる時間が長くなり、液体２が粘着層５へ到達せず、長時間にわたり粘着層５の粘着機能を維持できることになる。
【００３７】
なお、空気層８の位置やその幅については、前記保護粘着層７および前記粘着層５の粘着機能が発揮される限りどの位置にあってもよく、その幅についても特に限定されないが、空気層の幅が大きくなるほど、即ち前記保護粘着層７と前記粘着層５との間隔が生じるほどラビリンス効果により保護粘着層７から滲入してきた液体が粘着層外縁部５ａへ到達せず、長時間にわたり粘着層５の粘着機能を維持できることになる。
【００３８】
なお、図７においては、内シート９と保護粘着層７との間には空気層８が形成されているが、ここに空気層８が形成されていても空気層８が形成されていなくてもいずれでもよい。
【００３９】
次に、シートに保護粘着層７のある場合とない場合のシートの耐液体性を比較した実験結果を示す。シートに保護粘着層７のある場合の実施例として前述の第１の実施形態の耐液体性シート１を用い、保護粘着層７のない場合の比較例としては、図１０に示すように粘着層５とシート本体６のみからなる比較例のシートを用いた。
【００４０】
被貼着物４はガラス、液体２はトルエンとし、粘着層５の粘着剤やシート本体６の基材は何れも同じものを用いた。耐液体性シート１の粘着層５の大きさは２１ｍｍ×１３ｍｍ、全体の大きさ（保護粘着層７の外枠とシート本体６の大きさ）は２４ｍｍ×１６ｍｍとし、比較例のシートの大きさ（粘着層５とシート本体６の大きさ）は耐液体性シート１全体の大きさと同じ２４ｍｍ×１６ｍｍとした。ガラス容器内側にそれぞれの耐液体性シート１、比較例のシートを貼着し、ガラス容器中のそれぞれのシートにトルエンを数滴滴下し滴下直後に綿棒でトルエンを全体に広げ、ガラス容器の下面からの目視によりシートが剥がれるのを確認し、シートの表面を１ｋｇｆの荷重で擦り完全にシートがガラスから剥がれたもの各６例について、それらの、トルエン滴下後からシートが剥がれるまでの時間を比較した。
【００４１】
実験の結果、保護粘着層７のない比較例のシートは、平均して１２５分（２時間５分）後に剥がれたが、保護粘着層７のある第１の実施形態の耐液体性シート１は、平均して３１６分（５時間１６分）後にガラス容器から剥がれた。以下に、トルエン耐性の実験結果を表とグラフにして示す。
【００４２】
【表１】
0005939689.tif 000002
【００４３】
【表２】
0005939689.tif 000003
【００４４】
このように、保護粘着層が設けられることにより、シートを被貼着体に対して固定している粘着層の機能を阻害する液体がシート外周に到達しても、保護粘着層がその液体の粘着層への到達を防止して粘着層の粘着機能を長時間維持でき耐液体性を有することが確認された。なお、同様に第３の実施形態の耐液体性シート３１についても、内シート９及び外シート１０の基材はシート本体６と同じもの、粘着層５の粘着剤も同じものを用いて同様の実験を行ったところ、３４０分後にガラス容器から剥がれ、第１の実施形態の耐液体性シート１よりも耐液体性を有することが確認できた。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、第２の実施形態においてゲル状の保護粘着層７は粘着層５の外周に一つの枠を設けるように形成されているが、複数の大きさの異なる枠を設けるように、複数の空気層８と複数の保護粘着層７とが交互に設けられることによって、ラビリンス効果を増大させることができる。
【００４７】
また、第３の実施形態においても、ゲル状の保護粘着層７は粘着層５および内シート９を覆うように一面形状で形成されているが、保護粘着層７における内シート位置９ａの外側の部分において、複数の大きさの異なる保護粘着層７の枠を設けるように、複数の空気層８と複数の保護粘着層７とが交互に設けられることによって、ラビリンス効果を増大させることができる。
【００４８】
また、第３の実施形態において内シート９と粘着層５の大きさは略同一であるが、何れかが内側に入り込むような形状となるような大きさの異なるものであってもよい。また、外シート１０と保護粘着層７の大きさも略同一であるが何れかが内側に入り込むような形状となるような大きさの異なるものであってもよい。
【００４９】
また、第３の実施形態において、基材となるシートは内シート９一つと外シート１０一つであるが、複数の内シートや複数の外シートを粘着層等を介して積層したようなものであってもよい。
【符号の説明】
【００５０】
１                耐液体性シート
２                液体
３                ガラス容器（ビーカー）
４                被粘着体
４ａ              被粘着体の表面
５                粘着層
５ａ              粘着層外縁部
６                シート本体
６ａ              シート本体の表面
７                保護粘着層
７ａ              保護粘着層外縁部
８                空気層
９                内シート
９ａ              内シートの位置
１０              外シート
１１              剥離シート
【図１】
0005939689.tif 000004
【図２】
0005939689.tif 000005
【図３】
0005939689.tif 000006
【図４】
0005939689.tif 000007
【図５】
0005939689.tif 000008
【図６】
0005939689.tif 000009
【図７】
0005939689.tif 000010
【図８】
0005939689.tif 000011
【図９】
0005939689.tif 000012
【図１０】
0005939689.tif 000013